(57)【要約】【課題】開口率を落とすことなく側面残像を減らすことのできる液晶表示装置を提供する。【解決手段】基板と、前記基板上に形成される遮光部材と、前記遮光部材上に形成される柱状間隔材と、前記基板上形成構造物上に形成される配向膜とを有し、前記柱状間隔材の断面は、前記配向膜のラビング方向に対して対向し、少なくとも一つの直線部を含む対向辺と、該対向辺を除いた残りの部分である非対向辺とを含み、前記対向辺の直線部と前記配向膜のラビング方向とがなす鋭角が１５度以下である。【選択図】      図２
2008181132.tif 000002
【特許請求の範囲】
【請求項１】
基板と、
前記基板上に形成される遮光部材と、
前記遮光部材上に形成される柱状間隔材と、
前記基板上形成構造物上に形成される配向膜とを有し、
前記柱状間隔材の断面は、前記配向膜のラビング方向に対して対向し、少なくとも一つの直線部を含む対向辺と、該対向辺を除いた残りの部分である非対向辺とを含み、前記対向辺の直線部と前記配向膜のラビング方向とがなす鋭角が１５度以下であることを特徴とする液晶表示装置。
【請求項２】
前記柱状間隔材の対向辺は、三角形の二つの辺と、これら二つの辺が合う頂点とを有し、前記柱状間隔材の非対向辺は楕円の弧であることを特徴とする請求項１に記載の液晶表示装置。
【請求項３】
前記柱状間隔材の断面は三角形であることを特徴とする請求項１に記載の液晶表示装置。
【請求項４】
前記柱状間隔材の断面は菱形であることを特徴とする請求項１に記載の液晶表示装置。
【請求項５】
前記柱状間隔材の対向辺は、三角形の二つの辺と、これら二つの辺が合う曲線部とを有し、前記柱状間隔材の非対向辺は楕円の弧であることを特徴とする請求項１に記載の液晶表示装置。
【請求項６】
第１基板と、
前記第１基板上に形成されるゲート線及びデータ線と、
前記ゲート線及びデータ線に接続される薄膜トランジスタと、
前記薄膜トランジスタと接続される画素電極と、
前記第１基板に対向する第２基板と、
前記第２基板上に形成される共通電極と、
前記第１基板と前記第２基板との間に挟持され、液晶分子を含む液晶層と、
前記液晶層と前記第１基板との間、または前記液晶層と前記第２基板との間のうちの少なくとも一方に形成され、前記液晶分子を配向する配向膜と、
前記第１基板と前記第２基板との間に挟持され、前記液晶層の厚さを維持する柱状間隔材とを有し、
前記柱状間隔材の断面は、前記配向膜のラビング方向に対して対向し、少なくとも一つの直線部を含む対向辺と、前記対向辺を除いた残りの部分である非対向辺とを有し、前記対向辺の直線部と前記配向膜のラビング方向とがなす鋭角が１５度以下であることを特徴とする液晶表示装置。
【請求項７】
前記第２基板と前記共通電極との間に形成される遮光部材をさらに有することを特徴とする請求項６に記載の液晶表示装置。
【請求項８】
前記柱状間隔材の対向辺は、三角形の二つの辺と、これら二つの辺が合う頂点とを有し、前記柱状間隔材の非対向辺は楕円の弧であることを特徴とする請求項６に記載の液晶表示装置。
【請求項９】
前記第２基板上に三角形をなすように配置され、前記画素電極と各々対応する赤色カラーフィルタ、緑色カラーフィルタ、及び青色カラーフィルタをさらに有し、
前記柱状間隔材は、前記赤色カラーフィルタ、緑色カラーフィルタ、及び青色カラーフィルタと全てに近接する位置に配置されることを特徴とする請求項８に記載の液晶表示装置。
【請求項１０】
前記柱状間隔材の対向辺は、三角形の二つの辺と、これら二つの辺が合う曲線部とを有し、前記柱状間隔材の非対向辺は楕円の弧であることを特徴とする請求項６に記載の液晶表示装置。
【請求項１１】
前記第２基板上に三角形をなすように配置され、前記画素電極と各々対応する赤色カラーフィルタ、緑色カラーフィルタ、及び青色カラーフィルタをさらに有し、
前記柱状間隔材は、前記赤色カラーフィルタ、緑色カラーフィルタ、及び青色カラーフィルタと全てに近接する位置に配置されることを特徴とする請求項１０に記載の液晶表示装置。
【発明の詳細な説明】
【技術分野】
【０００１】
本発明は、液晶表示装置に関し、特に、開口率を落とすことなく側面残像を減らすことのできる液晶表示装置に関する。
【背景技術】
【０００２】
液晶表示装置は、現在、最も広く使用されている平板表示装置のうちの一つであって、画素電極と共通電極など電界生成電極が形成されている二枚の表示板と、その間に挿入されている液晶層とを含む。液晶表示装置は、電界生成電極に電圧を印加して液晶層に電界を生成し、これを通じて液晶層の液晶分子の方向を決定して入射光の偏光を制御することによって画像を表示する。
【０００３】
液晶表示装置の中でも、液晶を垂直配向しながら配向膜をラビング（Ｒｕｂｂｉｎｇ）して使用するラビング垂直配向モード方式（ｒｕｂｂｉｎｇ  ｖｅｒｔｉｃａｌｌｙ  ａｌｉｇｎｅｄ  ｍｏｄｅ：以下、ＲＶＡモードという。）の液晶表示装置は、コントラスト比が大きく、基準視野角が広くて脚光を浴びている。
【０００４】
しかし、ＲＶＡモードの液晶表示装置は、一般的な垂直配向モード方式（ｖｅｒｔｉｃａｌｌｙ  ａｌｉｇｎｅｄ  ｍｏｄｅ）の液晶表示装置とは異なって、ラビングによって生じる側面残像が存在する。
液晶表示装置に電場を印加すれば、ラビング方向に沿って配列された液晶が再配列され、電場がなくなった後には再び液晶がラビング方向に沿って配列される。この時、柱状間隔材によってラビング方向と電場の方向とが反対になる領域においては、電場を除去した時にも液晶が迅速に現状復帰しないため、残像の原因になる。このような残像は、ラビング方向である主視野角の方向で視認され、他の方向では視認されない。
【０００５】
このような側面残像をなくすために遮光部材を広くして用いても良い。しかし、遮光部材が広くなれば、全体の開口率が落ちるという問題点がある。
【発明の開示】
【発明が解決しようとする課題】
【０００６】
そこで、本発明は上記従来の液晶表示装置における問題点に鑑みてなされたものであって、本発明の目的は、開口率を落とすことなく側面残像を減らすことのできる液晶表示装置を提供することにある。
【課題を解決するための手段】
【０００７】
上記目的を達成するためになされた本発明による液晶表示装置は、基板と、前記基板上に形成される遮光部材と、前記遮光部材上に形成される柱状間隔材と、前記基板上形成構造物上に形成される配向膜とを有し、前記柱状間隔材の断面は、前記配向膜のラビング方向に対して対向し、少なくとも一つの直線部を含む対向辺と、該対向辺を除いた残りの部分である非対向辺とを含み、前記対向辺の直線部と前記配向膜のラビング方向とがなす鋭角が１５度以下であることを特徴とする。
【０００８】
前記柱状間隔材の対向辺は、三角形の二つの辺と、これら二つの辺が合う頂点とを有し、前記柱状間隔材の非対向辺は楕円の弧であることが好ましい。
前記柱状間隔材の断面は三角形であることが好ましい。
前記柱状間隔材の断面は菱形であることが好ましい。
前記柱状間隔材の対向辺は、三角形の二つの辺と、これら二つの辺が合う曲線部とを有し、前記柱状間隔材の非対向辺は楕円の弧であることが好ましい。
【０００９】
また、上記目的を達成するためになされた本発明による液晶表示装置は、第１基板と、前記第１基板上に形成されるゲート線及びデータ線と、前記ゲート線及びデータ線に接続される薄膜トランジスタと、前記薄膜トランジスタと接続される画素電極と、前記第１基板に対向する第２基板と、前記第２基板上に形成される共通電極と、前記第１基板と前記第２基板との間に挟持され、液晶分子を含む液晶層と、前記液晶層と前記第１基板との間、または前記液晶層と前記第２基板との間のうちの少なくとも一方に形成され、前記液晶分子を配向する配向膜と、前記第１基板と前記第２基板との間に挟持され、前記液晶層の厚さを維持する柱状間隔材とを有し、前記柱状間隔材の断面は、前記配向膜のラビング方向に対して対向し、少なくとも一つの直線部を含む対向辺と、前記対向辺を除いた残りの部分である非対向辺とを有し、前記対向辺の直線部と前記配向膜のラビング方向とがなす鋭角が１５度以下であることを特徴とする。
【００１０】
前記第２基板と前記共通電極との間に形成される遮光部材をさらに有することが好ましい。
前記柱状間隔材の対向辺は、三角形の二つの辺と、これら二つの辺が合う頂点とを有し、前記柱状間隔材の非対向辺は楕円の弧であることが好ましい。
前記第２基板上に三角形をなすように配置され、前記画素電極と各々対応する赤色カラーフィルタ、緑色カラーフィルタ、及び青色カラーフィルタをさらに有し、前記柱状間隔材は、前記赤色カラーフィルタ、緑色カラーフィルタ、及び青色カラーフィルタと全てに近接する位置に配置されることが好ましい。
前記柱状間隔材の対向辺は、三角形の二つの辺と、これら二つの辺が合う曲線部とを有し、前記柱状間隔材の非対向辺は楕円の弧であることが好ましい。
前記第２基板上に三角形をなすように配置され、前記画素電極と各々対応する赤色カラーフィルタ、緑色カラーフィルタ、及び青色カラーフィルタをさらに有し、前記柱状間隔材は、前記赤色カラーフィルタ、緑色カラーフィルタ、及び青色カラーフィルタと全てに近接する位置に配置されることが好ましい。
【発明の効果】
【００１１】
本発明に係る液晶表示装置によれば、液晶表示装置の柱状間隔材の形状を、ラビング方向に対して立ち向かう面が減少するように形成することによって、側面残像を減らすことができるという効果がある。
【発明を実施するための最良の形態】
【００１２】
次に、本発明に係る液晶表示装置を実施するための最良の形態の具体例を図面を参照しながら説明する。
【００１３】
図面において、種々の層及び領域を明確に表現するために厚さを拡大して示した。明細書の全体にわたって類似する部分については同一の図面符号を付けた。層、膜、領域、板などの部分が他の部分の“上”にあるとする時、これは他の部分の“すぐ上”にある場合だけでなく、その中間に他の部分がある場合も含む。逆に、ある部分が他の部分の“すぐ上”にあるとする時には、中間に他の部分がないことを意味する。
【００１４】
図１〜図３を参照して、本発明の一実施形態による液晶表示装置用のカラーフィルタ表示板、及びこれを含む液晶表示装置について詳細に説明する。
図１は、本発明の一実施形態による液晶表示装置の配置図であり、図２は、図１の液晶表示装置のＩＩ−ＩＩ線に沿った断面図であり、図３は、図１の液晶表示装置におけるカラーフィルタ表示板側の配向膜のラビング方向と、柱状間隔材の配置状態を示す図面である。
【００１５】
本発明の実施形態による液晶表示装置は、互いに対向する薄膜トランジスタ表示板１００及びカラーフィルタ表示板２００と、これら二つの表示板（１００、２００）の間に挟持されている液晶層３と、二つの表示板（１００、２００）の外側面に配置されている上下偏光板１２、２２とを有する。
【００１６】
以下、図１、図２及び図３を参照して、液晶表示装置用の薄膜トランジスタ表示板について詳細に説明する。
透明なガラスまたはプラスチックなどで作られた絶縁基板１１０上に、複数のゲート線（ｇａｔｅ  ｌｉｎｅ）１２１、及び複数の維持電極線（ｓｔｏｒａｇｅ  ｅｌｅｃｔｒｏｄｅ  ｌｉｎｅ）１３１が形成されている。
ゲート線１２１はゲート信号を伝達し、主に横方向にのびている。各ゲート線１２１は、下に突出した複数のゲート電極（ｇａｔｅ  ｅｌｅｃｔｒｏｄｅ）１２４と、他の層または外部駆動回路との接続のために面積の広い端部１２９とを有する。
【００１７】
維持電極線１３１は所定の電圧の印加を受け、ゲート線１２１とほとんど平行にのびた幹線と、これから分かれた複数対の第１維持電極１３３ａ及び第２維持電極１３３ｂとを有する。維持電極（１３３ａ、１３３ｂ）各々は、幹線と接続された固定端と、その反対側の自由端とを有している。しかし、維持電極線１３１の形状及び配置は多様に変更できる。
ゲート線１２１及び維持電極線１３１上には、窒化ケイ素（ＳｉＮｘ）または酸化ケイ素（ＳｉＯｘ）などで作られたゲート絶縁膜（ｇａｔｅ  ｉｎｓｕｌａｔｉｎｇ  ｌａｙｅｒ）１４０が形成されている。
【００１８】
ゲート絶縁膜１４０上には、水素化非晶質シリコン（ｈｙｄｒｏｇｅｎａｔｅｄ  ａｍｏｒｐｈｏｕｓ  ｓｉｌｉｃｏｎ）（非晶質シリコンは、略してａ−Ｓｉと記す。）または多結晶シリコン（ｐｏｌｙｓｉｌｉｃｏｎ）などで作られた複数の線状半導体１５１が形成されている。
線状半導体１５１は主に縦方向にのびていて、ゲート電極１２４に向かってのび出た複数の突出部（ｐｒｏｊｅｃｔｉｏｎ）１５４を含む。
【００１９】
線状半導体１５１上には、複数の線状及び島状オーミックコンタクト部材（ｏｈｍｉｃ  ｃｏｎｔａｃｔ）１６１、１６５が形成されている。オーミックコンタクト部材（１６１、１６５）は、リンなどのｎ型不純物が高濃度にドーピングされているｎ＋水素化非晶質シリコンなどの物質、またはシリサイド（ｓｉｌｉｃｉｄｅ）で作ることができる。線状オーミックコンタクト部材１６１は、複数の突出部１６３を有しており、この突出部１６３と島状オーミックコンタクト部材１６５とは対をなし、線状半導体１５１の突出部１５４上に配置されている。
【００２０】
オーミックコンタクト部材（１６１、１６３、１６５）及びゲート絶縁膜１４０上には、複数のデータ線１７１と、複数のドレイン電極（ｄｒａｉｎ  ｅｌｅｃｔｒｏｄｅ）１７５とが形成されている。
データ線１７１はデータ信号を伝達し、主に縦方向にのびてゲート線１２１と交差する。各データ線１７１は、ゲート電極１２４に向かってのびた複数のソース電極（ｓｏｕｒｃｅ  ｅｌｅｃｔｒｏｄｅ）１７３と、他の層または外部駆動回路との接続のために面積の広い端部１７９とを有する。
ドレイン電極１７５は、データ線１７１と分離されており、ゲート電極１２４を中心にソース電極１７３と対向する。
【００２１】
一つのゲート電極１２４、一つのソース電極１７３、及び一つのドレイン電極１７５は、線状半導体１５１の突出部１５４と共に一つの薄膜トランジスタ（ｔｈｉｎ  ｆｉｌｍ  ｔｒａｎｓｉｓｔｏｒ、ＴＦＴ）をなし、薄膜トランジスタのチャネル（ｃｈａｎｎｅｌ）は、ソース電極１７３とドレイン電極１７５との間の突出部１５４に形成される。
【００２２】
オーミックコンタクト部材（１６１、１６３、１６５）は、その下の半導体（１５１、１５４）と、その上のデータ線１７１及びドレイン電極１７５との間にだけ存在し、これらの間の接触抵抗を低くする。データ線１７１、ドレイン電極１７５、及び露出された線状半導体１５１部分の上には保護膜（ｐａｓｓｉｖａｔｉｏｎ  ｌａｙｅｒ）１８０が形成されている。保護膜１８０は無機絶縁物または有機絶縁物などで作られ、表面が平坦であり得る。
【００２３】
保護膜１８０には、データ線１７１の端部１７９とドレイン電極１７５を各々露出する複数のコンタクトホール（ｃｏｎｔａｃｔ  ｈｏｌｅ）１８２、１８５が形成されており、保護膜１８０とゲート絶縁膜１４０には、ゲート線１２１の端部１２９を露出する複数のコンタクトホール１８１、第１維持電極１３３ａの固定端付近の維持電極線１３１の一部を露出する複数のコンタクトホール１８３ａ、及び第１維持電極１３３ａの自由端の突出部を露出する複数のコンタクトホール１８３ｂが形成されている。
【００２４】
保護膜１８０上には、複数の画素電極（ｐｉｘｅｌ  ｅｌｅｃｔｒｏｄｅ）１９１、複数の連結橋（ｏｖｅｒｐａｓｓ）８４、及び複数のコンタクト補助部材（ｃｏｎｔａｃｔａｓｓｉｓｔａｎｔ）８１、８２が形成されている。画素電極１９１は、コンタクトホール１８５を通じてドレイン電極１７５と物理的、電気的に接続されており、ドレイン電極１７５からデータ電圧の印加を受ける。データ電圧が印加された画素電極１９１は、共通電圧（ｃｏｍｍｏｎ  ｖｏｌｔａｇｅ）の印加を受けるカラーフィルタ表示板２００の共通電極（ｃｏｍｍｏｎ  ｅｌｅｃｔｒｏｄｅ）２７０と共に電場を生成することによって、二つの電極（１９１、２７０）の間の液晶層３の液晶分子（図示せず）の傾きを決定する。
【００２５】
コンタクト補助部材８１、８２は、各々コンタクトホール１８１、１８２を通じてゲート線１２１の端部１２９及びデータ線１７１の端部１７９と接続される。
連結橋８４はゲート線１２１を横切って、ゲート線１２１を間に置いて反対側に位置するコンタクトホール１８３ａ、１８３ｂを通じ、維持電極線１３１の露出された部分と、維持電極１３３ａの自由端の露出された端部とに接続されている。
【００２６】
次に、カラーフィルタ表示板２００について図２及び図３を参照して説明する。
透明なガラスまたはプラスチックなどで作られた絶縁基板２１０上に、遮光部材（ｌｉｇｈｔ  ｂｌｏｃｋｉｎｇ  ｍｅｍｂｅｒ）２２０が形成されている。遮光部材２２０はブラックマトリックス（ｂｌａｃｋｍａｔｒｉｘ）ともいう。
遮光部材２２０は、画素電極１９１と対向し、画素電極１９１とほとんど同一の形状を有する複数の開口部２２５を有しており、画素電極１９１の間の光漏れを防止する。しかし、遮光部材２２０は、ゲート線１２１及びデータ線１７１に対応する部分と、薄膜トランジスタに対応する部分とで形成できる。
【００２７】
基板２１０上には、また、複数のカラーフィルタ２３０が形成されている。
カラーフィルタ２３０及び遮光部材２２０上には蓋膜（ｏｖｅｒｃｏａｔ）２５０が形成されている。蓋膜２５０は有機絶縁物で作ることができ、カラーフィルタ２３０が露出されることを防止し、平坦面を提供する。蓋膜２５０は省略され得る。
蓋膜２５０上には共通電極２７０が形成されている。
【００２８】
共通電極２７０の上には、二つの表示板（１００、２００）の間の間隔を維持する柱状間隔材３２０が形成されている。柱状間隔材３２０は、薄膜トランジスタが形成されている領域など不透明な薄膜が形成されていて、表示に寄与できない部分に形成されている。
柱状間隔材３２０は、カラーフィルタ表示板２００側から薄膜トランジスタ表示板１００側に行けば行くほど断面積が次第に減少するように形成される。しかし、必要に応じ、柱状間隔材３２０を上下の断面積が一定となるように形成することもできる。また、柱状間隔材３２０を薄膜トランジスタ表示板１００の画素電極１９１上に形成することもできる。柱状間隔材３２０の断面は、残像が発生することを防止するために所定の形状を有するが、これは後述する。
【００２９】
表示板（１００、２００）の内側面には、上部及び下部配向膜（ａｌｉｇｎｍｅｎｔｌａｙｅｒ）２１、１１が塗布され、ラビングされている。図１〜図３において、ＲＤ１は上部配向膜２１のラビング方向を示し、ＲＤ２は下部配向膜１１のラビング方向を示す。
上部配向膜２１のラビング方向ＲＤ１と、下部配向膜１１のラビング方向ＲＤ２は、図２に示すように互いに反対方向に向かう。ここで、残像は、カラーフィルタ表示板２００側に形成されている上部配向膜２１のラビング方向ＲＤ１で主に視認されるが、この方向を主視野角方向という。
【００３０】
液晶層３の液晶分子３１０は、電場が印加されない状態で二つの表示板（１００、２００）に対して垂直に配向されている。液晶分子３１０は、上部及び下部配向膜２１、１１と接した部分ではラビング方向ＲＤ１、ＲＤ２に沿って少しのプレチルト角を有して傾斜しているが、液晶層３の中心部では二つの表示板（１００、２００）に対して垂直に配向されている。電場が印加されると、液晶分子３１０がラビング方向ＲＤ１、ＲＤ２に傾斜するようになる。このように、電場の印加時に液晶分子３１０が傾斜する方向が決定されているため、液晶分子３１０の動作速度が速く、広視野角を実現することができる。ところが、柱状間隔材３２０が形成されている領域においては、液晶がラビング方向ＲＤ１、ＲＤ２に傾斜することを妨害される。
【００３１】
本発明の実施形態においては、液晶分子３１０が柱状間隔材３２０によってラビング方向ＲＤ１に沿って傾斜できない領域（Ａ）を減らすために、柱状間隔材３２０の断面を、図１及び図３に示すように、三角形と楕円とを結合した形状に形成する。
つまり、柱状間隔材３２０の断面のうちのラビング方向ＲＤ１と対向する方向（以下、“対向辺”という。）は、三角形の二つの辺と、これら二つの辺が合う頂点とで形成され、ラビング方向と対向しない方向（以下、“非対向辺”という。）は、楕円の弧で形成されている。
【００３２】
ここで、柱状間隔材３２０の対向辺を構成する三角形の二つの辺とラビング方向とがなす鋭角（θ１、θ２）は、１５度以下であることが好ましい。これは、柱状間隔材３２０が、液晶分子３１０がラビング方向ＲＤ１に沿って傾斜することを妨害することを防止するためであって、対向辺がラビング方向となす鋭角（θ１、θ２）が１５度を越える場合、柱状間隔材３２０が液晶分子３１０に立ち向かうようになって液晶分子３１０の配向が乱れるためである。
【００３３】
柱状間隔材３２０の非対向辺は多様に形成できるが、図１では楕円に形成したことを例示した。これは、ラビング方向に対向する面積は減らし、柱状間隔材の断面積は減らないようにするためである。
【００３４】
柱状間隔材３２０の形状は、ラビング方向ＲＤ１に対して立ち向かう面は減らし、断面積は維持できる形状であれば良いので、図５及び図６に示すように三角形、菱形など、多様に変更できる。また、図７に示すように、対向辺の頂点になる部分を丸くするように形成すること、つまり、対向辺が三角形の二つの辺と、これら二つの辺が合う曲線部とで形成されるようにしても良い。このようにすれば、加圧によって柱状間隔材３２０の頂点部分が容易に取れることを防止することができる。
【００３５】
以上のように、対向辺を構成する三角形の二つの辺がラビング方向に対して１５度以下の角度をなすように柱状間隔材３２０を形成すれば、液晶がラビング方向ＲＤ１に沿って傾斜しないので、残像を誘発する領域（Ａ）が減少する。
【００３６】
表示板（１００、２００）の外側面には偏光子（ｐｏｌａｒｉｚｅｒ）１２、２２が備えられているが、二つの偏光子１２、２２の偏光軸は直交し、このうちの一つの偏光軸はゲート線１２１に対して平行することが好ましい。二つの偏光子１２、２２の偏光軸が二つの配向膜１１、２１のラビング方向ＲＤ１、ＲＤ２となす鋭角は、約４５度をなすことが好ましい。反射型液晶表示装置の場合には、二つの偏光子１２、２２のうちの一つが省略され得る。
【００３７】
本実施形態による液晶表示装置は、液晶層３の遅延を補償するための位相遅延膜（ｒｅｔａｒｄａｔｉｏｎ  ｆｉｌｍ）（図示せず）をさらに有することができる。液晶表示装置は、また、偏光子１２、２２、位相遅延膜、表示板（１００、２００）、及び液晶層３に光を供給する照明部（ｂａｃｋｌｉｇｈｔ  ｕｎｉｔ）（図示せず）を有することができる。
【００３８】
図８は、本発明の他の実施形態による液晶表示装置の画素及び柱状間隔材の配置図である。
図８の実施形態による液晶表示装置においては、隣接する画素列で画素が交差して配置されている。つまり、第１画素列の青色画素Ｂと赤色画素Ｒとの間に第２画素列の緑色画素Ｇがかかって配置されており、第２画素列の赤色画素Ｒと緑色画素Ｇとの間に第１画素列の青色画素Ｂがかかって形成されている。ここで、隣接する二つの画素列に三角形をなすように配置されている赤色画素Ｒ、緑色画素Ｇ、及び青色画素Ｂが、一つの点を表示する単位として用いられる。
【００３９】
このような画素配置において、柱状間隔材３２０は三角形をなすように配置され、一つの点を表示する単位として用いられる赤色画素Ｒ、緑色画素Ｇ、及び青色画素Ｂと全てに近接する位置に配置される。このような柱状間隔材３２０が配置される位置は、表示に寄与しない部分に柱状間隔材３２０を配置するに際して自由度の最も高い部分である。
【００４０】
柱状間隔材３２０の形状は、前述の実施形態と同様に、液晶分子と立ち向かう面積を減らすために、対向辺を構成する三角形の二つの辺がラビング方向ＲＤに対して１５度以下の角度をなすように柱状間隔材３２０を形成する。
【００４１】
尚、本発明は、上述の実施形態に限られるものではない。本発明の技術的範囲から逸脱しない範囲内で多様に変更実施することが可能である。
【図面の簡単な説明】
【００４２】
【図１】本発明の一実施形態による液晶表示装置の配置図である。
【図２】図１の液晶表示装置のＩＩ−ＩＩ線に沿った断面図である。
【図３】図１の液晶表示装置におけるカラーフィルタ表示板側配向膜のラビング方向と柱状間隔材の配置状態を示す図面である。
【図４】本発明の一実施形態による柱状間隔材を示す斜視図である。
【図５】本発明の他の実施形態による柱状間隔材を示す斜視図である。
【図６】本発明の他の実施形態による柱状間隔材を示す斜視図である。
【図７】本発明の他の実施形態による柱状間隔材を示す斜視図である。
【図８】本発明の他の実施形態による液晶表示装置の画素及び柱状間隔材の配置図である。
【符号の説明】
【００４３】
３        液晶層
１１、２１    （下部及び上部）配向膜
１２、２２    偏光子
８１、８２    コンタクト補助部材
８４        連結橋
１００      薄膜トランジスタ表示板
１１０、２１０    絶縁基板
１２１      ゲート線
１２４      ゲート電極
１３１      維持電極線
１３３ａ、１３３ｂ    （第１及び第２）維持電極
１４０      ゲート絶縁膜
１５１      線状半導体
１６１、１６５    （線状及び島状）オーミックコンタクト部材
１７１      データ線
１７３      ソース電極
１７５      ドレイン電極
１８０      保護膜
１８１、１８２、１８３ａ、１８３ｂ、１８５    コンタクトホール
１９１      画素電極
２００      カラーフィルタ表示板
２２０      遮光部材
２３０      カラーフィルタ
２５０      蓋膜
２７０      共通電極
３１０      液晶分子
３２０      柱状間隔材
【図１】
2008181132.tif 000003
【図２】
2008181132.tif 000004
【図３】
2008181132.tif 000005
【図４】
2008181132.tif 000006
【図５】
2008181132.tif 000007
【図６】
2008181132.tif 000008
【図７】
2008181132.tif 000009
【図８】
2008181132.tif 000010